(57)【要約】【課題】簡単に加熱可能領域と操作手段の対応関係を認識することができる誘導加熱装置を提供すること。【解決手段】トッププレート４８上の被加熱物４９を誘導加熱する複数の加熱手段４６と、被加熱物４９の有無を検知する検知手段５５と、加熱調理を行うための条件を入力する操作手段５０と、加熱手段４６への高周波電流の供給を制御して加熱制御を行う制御手段と、通電可能な加熱手段４６と通電不可能な加熱手段４６を選定し、トッププレート４８上に加熱可能領域と、加熱不可能領域を形成する複数の加熱パターン情報を記憶した情報記憶部５２と、情報記憶部５２に記憶した加熱パターン情報を選択する選択手段５３とを備え、加熱可能領域において検知手段５５で被加熱物４９を検知した場合に、加熱可能領域に対応する操作手段５０を表示させる。【選択図】図１
2010282739.tif 000002
【特許請求の範囲】
【請求項１】
被加熱物を載置するトッププレートと、前記トッププレート上の被加熱物を誘導加熱する複数の加熱手段と、被加熱物の有無を検知する検知手段と、前記加熱手段で加熱調理を行うための条件を入力する操作手段と、前記加熱手段への高周波電流の供給を制御して加熱制御を行う制御手段と、通電可能な加熱手段と通電不可能な加熱手段を選定し、トッププレート上に加熱可能領域と、加熱不可能領域を形成する複数の加熱パターン情報を記憶した情報記憶部と、前記情報記憶部に記憶した前記加熱パターン情報を選択する選択手段とを備え、前記加熱可能領域において前記検知手段で被加熱物を検知した場合に、前記加熱可能領域に対応する操作手段を表示する誘導加熱装置。
【請求項２】
加熱手段が停止している時のみ選択手段を操作可能とした請求項１に記載の誘導加熱装置。
【請求項３】
電源投入後の所定の時間の間のみ、選択手段の操作を有効とした請求項１または２に記載の誘導加熱装置。
【請求項４】
光表示手段を備え、前記光表示手段によりトッププレート上の加熱可能領域を表示する請求項１〜３のいずれか１項に記載の誘導加熱装置。
【請求項５】
検知手段は、誘導加熱装置への入力電流と、共振用コンデンサの電圧に基づいて、被加熱物の有無を検知する請求項１〜４のいずれか１項に記載の誘導加熱装置。
【請求項６】
検知手段は、近接センサを用いて被加熱物の有無を検知する請求項１〜４のいずれか１項に記載の誘導加熱装置。
【請求項７】
検知手段は、被加熱物の有無による照度差に基づいて被加熱物の有無を検知する請求項１〜４のいずれか１項に記載の誘導加熱装置。
【請求項８】
検知手段は、振動検知センサを用いて被加熱物の有無を検知する請求項１〜４のいずれか１項に記載の誘導加熱装置。
【発明の詳細な説明】
【技術分野】
【０００１】
本発明は、トッププレート上の被加熱物を加熱する複数の加熱手段を備えた誘導加熱装置に関するものである。
【背景技術】
【０００２】
従来、この種の加熱装置は、加熱部がトッププレート上の手前側左右と、中央奥側に配しており、これらの加熱部に対応して設けた操作手段によって操作する誘導加熱装置がある（例えば、特許文献１参照）。
【０００３】
図６は、特許文献１に記載された従来の誘導加熱装置を示すものである。図６に示すように、各々の加熱調理部２４、２５、２６に対応した、操作手段２７、２８、２９から構成されている。
【先行技術文献】
【特許文献】
【０００４】
【特許文献１】特開平１０−２１４６７７号公報
【発明の概要】
【発明が解決しようとする課題】
【０００５】
しかしながら、前記従来の構成では、加熱部がトッププレート上の手前側左右と、中央奥側に配しており、これらの加熱部を操作するには、手前右の加熱部と右側の操作手段が対応し、中央奥側と中央の操作手段が対応し、手前左の加熱部と左側の操作手段とが対応していた。
【０００６】
このように、加熱領域が固定されている場合は、加熱部と操作手段の位置関係によって、加熱部に対応している操作手段がわかりやすくなっていたが、加熱領域を可変できるような構成の場合、どの加熱部にどの操作手段が対応しているかわかりにくく操作性が悪くなってしまうという課題を有していた。
【０００７】
本発明は、前記従来の課題を解決するもので、加熱領域を可変した場合も、操作性の良い誘導加熱装置を提供することを目的とする。
【課題を解決するための手段】
【０００８】
前記従来の課題を解決するために、本発明の誘導加熱装置は、被加熱物を載置するトッププレートと、トッププレート上の被加熱物を誘導加熱する複数の加熱手段と、被加熱物の有無を検知する検知手段と、加熱手段で加熱調理を行うための条件を入力する操作手段と、加熱手段への高周波電流の供給を制御して加熱制御を行う制御手段と、通電可能な加熱手段と通電不可能な加熱手段を選定し、トッププレート上に加熱可能領域と、加熱不可能領域を形成する複数の加熱パターン情報を記憶した情報記憶部と、情報記憶部に記憶した加熱パターン情報を選択する選択手段とを備え、加熱可能領域において検知手段で被加熱物を検知した場合に、加熱可能領域に対応する操作手段を表示するとしたものである。
【０００９】
これによって、加熱領域が可変するような構成であっても、被加熱物を検知した時点で、適切な位置の操作手段を表示させることができる。
【発明の効果】
【００１０】
本発明の誘導加熱装置は、加熱領域を可変させるような構成であっても、どの加熱領域
がどの操作手段に対応しているか分かりやすく、また、加熱領域とどの操作手段が対応しているかを表示させる表示機能も不要であり、操作性が良く部品点数も削減することができる。
【図面の簡単な説明】
【００１１】
【図１】（ａ）本発明の実施の形態１における誘導加熱装置の外観図（ｂ）本発明の実施の形態１における誘導加熱装置の回路ブロック図
【図２】本発明の実施の形態１における誘導加熱装置の光表示手段の構成図
【図３】本発明の実施の形態１における誘導加熱装置の操作手段、表示部の構成図
【図４】本発明の実施の形態１における誘導加熱装置の加熱可能領域のパターン図
【図５】本発明の実施の形態１における誘導加熱装置の加熱可能領域に被加熱物を置いた時の構成図
【図６】従来の誘導加熱装置の構成図
【発明を実施するための形態】
【００１２】
第１の発明は、被加熱物を載置するトッププレートと、トッププレート上の被加熱物を誘導加熱する複数の加熱手段と、被加熱物の有無を検知する検知手段と、加熱手段で加熱調理を行うための条件を入力する操作手段と、加熱手段への高周波電流の供給を制御して加熱制御を行う制御手段と、通電可能な加熱手段と通電不可能な加熱手段を選定し、トッププレート上に加熱可能領域と、加熱不可能領域を形成する複数の加熱手段パターン情報を記憶した情報記憶部と、情報記憶部に記憶した加熱コイルパターン情報を選択する選択手段とを備え、加熱可能領域において検知手段で被加熱物を検知した場合に、加熱可能領域に対応する操作手段を表示する。これにより、加熱可能領域を可変させるような構成であっても、被加熱物を検知した時点で、適切な位置の操作手段を表示させることができ、使用者の操作性を向上することができる。
【００１３】
第２の発明は、特に、第１の発明において、加熱手段が停止している時のみ選択手段を操作可能とすることにより、加熱中に使用者が誤って選択手段を操作して、加熱可能領域が変化することがなくなり、使用者の意向に反して鍋が加熱されてしまい、調理の失敗や空焼きによる発火など不安全になることを防ぐことができ、使い勝手と安全性を向上させることができる。
【００１４】
第３の発明は、特に、第１または第２の発明において、電源投入後の所定の時間の間のみ、選択手段の操作を有効とすることにより、使用者が加熱中に誤って選択手段を操作して加熱可能領域が変化して調理を失敗することを防ぐだけでなく、使用者の意図に反する鍋が加熱されて空焼きによる発火などを防ぐことが可能となり、使い勝手と安全性を向上させることができる。
【００１５】
第４の発明は、特に、第１〜３のいずれか１つの発明において、光表示手段を備え、前記光表示手段によりトッププレート上の加熱可能領域を表示することにより、使用者に加熱可能な位置、大きさ、数量を視認させることが可能となり、使用者が調理メニューに応じて必要な位置、大きさ、数量を選択することができる。
【００１６】
第５の発明は、特に、第１〜４のいずれか１つの発明の検知手段を誘導加熱装置への入力電流と、共振用コンデンサの電圧に基づいて、被加熱物の有無を検知するとしている。これにより、精度良く被加熱物の有無を判定することが可能となる。
【００１７】
第６の発明は、特に、第１〜４のいずれか１つの発明の検知手段は近接センサを用いて被加熱物の有無を検知することにより、精度良く被加熱物の有無を判定することが可能となる。
【００１８】
第７の発明は、特に、第１〜４のいずれか１つの発明において、検知手段は被加熱物の有無による照度差に基づいて被加熱物の有無を検知することにより、精度良く被加熱物の有無を判定することが可能となる。
【００１９】
第８の発明は、特に、第１〜４のいずれか１つの発明において、検知手段は振動検知センサを用いて被加熱物の有無を検知することにより、精度良く被加熱物の有無を判定することが可能となる。
【００２０】
以下、本発明の実施の形態について、図面を参照しながら説明する。なお、この実施の形態によって本発明が限定されるものではない。
【００２１】
（実施の形態１）
図１は、（ａ）本発明の第１の実施の形態における誘導加熱装置の外観図、（ｂ）本発明の第１の実施の形態における誘導加熱装置の回路ブロック図を示すものである。図２は、本発明の第１の実施の形態における誘導加熱装置の光表示手段の構成図示すものである。
【００２２】
図１において、誘導加熱装置１は、２００Ｖ商用電源４１より整流回路・力率改善回路などを包含するフィルタ回路部４２を介して、所定のタイミングでオン・オフするスイッチング素子により、所定の周波数の高周波電力を発生させるインバータ回路４３と、複数のインバータ回路４３からなるインバータ回路部４４と、インバータ回路部４４を駆動・制御する制御部４５と、高周波電力により高周波磁束を発生させる加熱手段４６と、複数の加熱手段４６からなる加熱部４７と、複数の加熱手段４６の上方に配置される硬質ガラス製のトッププレート４８と、複数の加熱手段４６の略上方に配置される被加熱物４９と、使用者が出力電力または温度を調整するための操作手段５０と、出力設定と温度と自動調理メニューなどの状態を表示する表示部５１と、複数の加熱手段４６のうち、通電可能な加熱手段と通電不可能な加熱手段を選定する加熱パターン情報を記憶した情報記憶部５２と、情報記憶部５２に記憶した加熱パターン情報を選択する選択手段５３と、図２に示すトッププレート４８の下方に配置される導光部６０と発光部６１を有したトッププレート４８上に加熱口の位置と面積を表示させる光表示部６２と、２００Ｖ商用電源４１とフィルタ回路部４２を接続／切断する主電源スイッチ５４と、被加熱物４９の有無を検知する検知手段５５とで構成している。検知手段５５は、本実施の形態では、照度センサを用いて検知を行っている。
【００２３】
尚、本実施の形態では、加熱手段４６とインバータ回路４３を同数としているが、１つのインバータ回路４３に対して２つ以上の加熱手段４６を並列接続しても加熱することができる。また、加熱手段４６とインバータ回路４３の個数は限定するものではない。本実施の形態では、個々の加熱手段４６を個別に制御できるように図１（ｂ）の構成としている。
【００２４】
例えば、第１のインバータ回路４３（１）と第２のインバータ回路４３（２）の動作周波数やスイッチング素子のオン時間を変化させることで、第１の加熱手段４６（１）で鉄または磁性ステンレスの鍋を加熱し、第２の加熱コイル４６（２）では負荷特性が鉄や磁性ステンレスと大きく異なる材質の非磁性ステンレスやアルミなどを加熱することが可能である。
【００２５】
尚、本実施の形態におけるインバータ回路４３は、シングルエンデッドプッシュプル方式のインバータを用いているが、ブリッジ方式のインバータを適用することができるのは言うまでもない。
【００２６】
本実施の形態の誘導加熱装置１は、情報記憶部としてマイクロコンピュータを用いている。また、操作手段５０に少なくとも２つ以上の加熱可能領域を操作できる操作数を備えている。図３は、本発明の第１の実施の形態における誘導加熱装置の操作手段、表示部の構成図を示すものである。図３に示すように、第１の操作手段５０（ａ）、第２の操作手段５０（ｂ）、第３の操作手段５０（ｃ）の３つの操作系統を備えている。１つの操作系統には、「加熱入切」キー７０、「出力アップ」キー７１、「出力ダウン」キー７２、「調理メニュー」キー７３、「タイマー」キー７４を備えている。
【００２７】
尚、本実施の形態では複数の加熱手段４６を直径７０ｍｍの渦巻き型の円形状としているが、その他の形状、例えば長方形、楕円形、多角形、またはそれらの組合せとすることも可能である。また、複数の加熱手段４６の個数や配置についても特に限定するものではない。
【００２８】
また、操作手段５０は静電容量を検知するタッチキーとしているが、プッシュスイッチキーや音声キーなどで代替してもよい。
【００２９】
また、本実施の形態における光表示部６２は発光部６１にＬＥＤを用いているが、レーザーや蛍光管など異なる発光デバイスを用いてもよい。
【００３０】
以上のように構成された誘導加熱装置について、以下その動作、作用を説明する。
【００３１】
図４は、本発明の第１の実施の形態における誘導加熱装置の加熱可能領域のパターン図を示すものである。
【００３２】
まず、使用者が誘導加熱装置１の主電源スイッチ５４をオンにすることにより、２００Ｖ商用電源４１とフィルタ回路部４２を接続して、図１（ｂ）に示す回路に通電する。この時、トッププレート４８上には光表示部６２により出荷時に予め設定されている加熱コイルパターン情報に基づいた加熱可能領域の位置が図４（ａ）のように表示される。
【００３３】
また、前回使用した加熱コイルパターン情報に基づいた加熱可能領域の位置が表示されるようにすることにより、使用者が頻繁に使用する加熱コイルパターンが主電源スイッチ５４をオンにすると表示されるため、使用者が毎回選択する手間を省くことができるようにしてもよい。
【００３４】
本実施の形態の誘導加熱装置１は、トッププレート４８上の選択手段５３が使用者により操作されると制御部４５が複数の加熱パターン情報を記憶した情報記憶部５２から所定の順番で加熱パターンを読み出して切替え、光表示手段６２により加熱可能領域の大きさ、形状、数量をトッププレート４８上に表示して使用者に視認させる。
【００３５】
本実施の形態の誘導加熱装置１は、図４（ａ）〜（ｄ）に示す４パターンが順番に切替わるとしているが、その他の組合せを増やすことにより、様々な調理メニューに応じた加熱可能領域を供給することができるようになり、使い勝手を向上させることができるのは言うまでもない。
【００３６】
使用者は光表示手段６２によって、トッププレート４８上に表示される加熱可能領域の大きさ、形状、数量から調理メニューに最適なパターンを選択する。
【００３７】
また、加熱手段４６の配置は、図４（ａ）〜（ｄ）の加熱領域を満たす個数と配置であれば良い。また、検知手段５５の配置も図４（ａ）〜（ｄ）の加熱領域に被加熱物が置か
れたかどうか判定できるような個数と配置であれば良い。
【００３８】
図５は、本発明の第１の実施の形態における誘導加熱装置の加熱可能領域に被加熱物を置いた時の構成図を示すものである。
【００３９】
選択手段５３で、使用者の使いたい加熱パターンを選択して、最適な加熱パターンが表示されると、加熱可能領域（例えば、図４（ａ）における点線内部）のうち使用したい領域のトッププレート４８上に加熱したい鍋やフライパンなどの被加熱物４９を図５（ａ）のように置く。
【００４０】
検知手段５５で被加熱物４９を検知して、操作手段５０（ｃ）と、表示部５１（ｃ）が表示される。使用者は、表示された操作手段５０（ｃ）、表示部５１（ｃ）で各キーを操作して調理を行う。
【００４１】
次に、図５（ｂ）のように被加熱物４９（ｂ）を置くと、操作手段５０（ｂ）と、表示部５１（ｂ）が表示される。また、図５（ｃ）のように選択手段５３で、加熱可能領域を変更して被加熱物４９を置いた場合は、操作手段５０（ｂ）と、表示部５１（ｂ）が表示される。また、被加熱物４９が取り除かれると、操作手段５０（ｂ）と、表示手段５１（ｂ）は消灯する。
【００４２】
以上のように、本実施の形態においてはトッププレート上の被加熱物を誘導加熱する複数の加熱手段と、被加熱物の有無を検知する検知手段と、加熱手段で加熱調理を行うための条件を入力する操作手段と、加熱手段への高周波電流の供給を制御して加熱制御を行う制御手段と、通電可能な加熱手段と通電不可能な加熱手段を選定し、トッププレート上に加熱可能領域と、加熱不可能領域を形成する複数の加熱パターン情報を記憶した情報記憶部と、情報記憶部に記憶した加熱パターン情報を選択する選択手段とを備え、トッププレート上の加熱可能領域において被加熱物が置かれた時に、加熱パターンに応じて、適切な操作手段と表示部を表示することにより、どの加熱可能領域と操作手段が対応しているかを別途表示することなく、加熱可能領域と操作手段の対応関係を認識することが可能となり、操作性が向上する。
【００４３】
また、光表示手段で加熱可能領域を視認できるようにすることで、加熱したくない鍋、フタ、ナイフなどの置き場所（退避場所）が明確になっており、使用者の意向に反する鍋が加熱されて空焼きによる発火などを防ぐことが可能となり、使い勝手と安全性を向上させることができる。
【００４４】
また、光表示手段によってトッププレート上に表示される少なくとも１つ以上の加熱可能領域のうち、１つ以上の加熱可能領域が加熱動作している間は、誤って選択手段に触れてしまい使用者の意図に反して加熱可能領域の大きさ、形状、数量が変わらないように選択手段は無効としている。
【００４５】
また、電源投入後の所定の時間の間のみ、選択手段を有効としている。これにより、調理の失敗や意図していない鍋が空焼きされて不安全になることを防ぐことが可能となる。
【００４６】
尚、本実施の形態では、検知手段に照度センサを用いているが、誘導加熱装置への入力電流と、共振用コンデンサの電圧に基づいて、被加熱物の有無を検知したり、近接センサや振動センサを用いて被加熱物の有無を検知しても同様の効果が発揮できる。
【産業上の利用可能性】
【００４７】
以上のように、本発明にかかる誘導加熱装置は、加熱パターン情報で通電可能とされた
加熱手段の組合せを制御することにより、操作手段の指示に基づいて通電可能な加熱手段の組合せを変化させて、トッププレート上の加熱可能領域の大きさ、形状、数量およびその加熱面積の比率を変化させることができる。そして、加熱可能領域が変化した場合でも、操作手段を被加熱物が置かれた位置に対応して表示することにより、操作性が向上し、調理メニューに応じて必要な加熱を行うことが可能となるので、一般家庭、オフィスだけでなくレストラン等の専門家が使用する調理器等の用途にも有効である。
【符号の説明】
【００４８】
４４  インバータ回路部
４５  制御部（制御手段）
４６  加熱手段
４７  加熱部
４８  トッププレート
５０  操作手段
５２  情報記憶部
５３  選択手段
５４  主電源スイッチ
５５  検知手段
６２  光表示部（光表示手段）
【図６】
2010282739.tif 000003
【図１】
2010282739.tif 000004
【図２】
2010282739.tif 000005
【図３】
2010282739.tif 000006
【図４】
2010282739.tif 000007
【図５】
2010282739.tif 000008